(57)【特許請求の範囲】
【請求項１】
映像中間周波信号と音声中間周波信号とを含む中間周波信号を出力する中間周波回路と、前記中間周波信号を周波数変換してテレビジョン信号として出力する複数の周波数変換回路とを有し、前記中間周波回路と最前段の周波数変換回路との間に抵抗減衰回路を設け、前記抵抗減衰回路を、信号経路に直列に挿入した直列抵抗と、前記直列抵抗の一端と接地との間、及び前記直列抵抗の他端と接地との間にそれぞれ接続された二つのシャント抵抗とからなるπ型抵抗減衰回路で構成し、前記直列抵抗または前記シャント抵抗の抵抗値を変えて減衰量を変化するようにしたことを特徴とするテレビジョン信号送信回路。
【請求項２】
前記直列抵抗と前記シャント抵抗との接続点に、一端が接続されるとともに信号経路に直列に挿入された第二の直列抵抗を設け、一方、前記シャント抵抗に、中間タップを有する可変抵抗を用い、前記第二の直列抵抗の他端と前記可変抵抗の前記中間タップとを接続したことを特徴とする請求項１記載のテレビジョン信号送信回路。
【発明の詳細な説明】
【０００１】
【発明の属する技術分野】
本発明は、テレビ信号送信回路に関し、特に、ＣＡＴＶ（ケ−ブルテレビジョン）システムに用いて好適なテレビジョン信号送信回路に関する。
【０００２】
【従来の技術】
ＣＡＴＶシステムのヘッドエンド、即ち、送信側においては、一般の地上波テレビジョンの番組を再送信したり、映画、スポ−ツ等の娯楽番組や地域社会に密着した独自番組等を送信しているが、これらの番組をＣＡＴＶシステムに割り当てられたチャンネルに乗せてケ−ブルで送信するために送信機が使用される。
【０００３】
図６は、このような送信機における従来のテレビ信号送信回路の一部を示すものであり、送信する番組を送るチャンネル毎に設けられている。そして、例えば、中間周波回路４１には、図示しない変調器等が備えられており、送信する番組の映像信号Ｖによって映像中間周波搬送波（米国では４５．７５ＭＨｚ）を変調し、映像中間周波信号が出力される。また、音声信号Ｓも所定の処理によって、映像中間周波信号から４．５ＭＨｚ離れた（４１．２５ＭＨｚ）音声中間周波信号に位置して搬送されるようになっている。なお、中間周波回路４１から出力される映像中間周波信号と音声中間周波信号とを含む中間周波信号を、以降の説明の都合上第一の中間周波信号と呼ぶことにする。
【０００４】
中間周波回路４１からの第一の中間周波信号は、第一の混合回路４２に入力され、ここで、第一の局部発振回路４３からの発振信号と混合されることによってほぼ１．３ＧＨｚの第二の中間周波信号に周波数変換される。従って、第一の混合回路４２と第一の局部発振回路４３とで第一の周波数変換回路４４を構成している。第一の混合回路４２からの第二の中間周波信号は、所定の帯域幅（ほぼ６ＭＨｚ）を有するバンドパスフィルタ４５を通過した後に第二中間周波増幅回路４６で所定のレベルに増幅され、次の第二の混合回路４７に入力され、この第二の混合回路４７において第二の局部発振回路４８からの発振信号と混合されて第三の中間周波信号に周波数変換される。従って、第二の混合回路４７と第二の局部発振回路４８とで第二の周波数変換回路４９を構成している。
【０００５】
ここで、第三の中間周波信号の周波数は、送信する番組毎に異なり、ほぼ５０ＭＨｚから１ＧＨｚまでの間に設定されている各チャンネルの周波数のいずれかに合わせるように第二の局部発振回路４８の発振周波数が設定されている。そして、第二の混合回路４７からの第三の中間周波信号は、第三中間周波増幅回路５０、５１で所定の利得を与えられた後バンドパスフィルタ５２、出力増幅回路５３を介して導出され、図示しない混合回路において、他の送信回路図から同様に導出された第三の中間周波信号と混合されて図示しないケ−ブルに送られるようになっている。
【０００６】
【発明が解決しようとする課題】
このような構成において、第一の混合回路４２に入力された第一の中間周波信号は、後段の回路、即ち、第一の混合回路４２、第二の中間周波増幅回路４６、第二の混合回路４７、第三中間周波増幅回路５０、５１、出力増幅回路５３等による周波数変換や増幅の都度、相互変調歪みやＣ／Ｎ比が悪化していく。そして、この悪化の度合いは各回路が有する固有の歪み特性やＣ／Ｎ比の特性に依存している。
【０００７】
また、相互変調とＣ／Ｎ比とは相反した特性変化を示し、例えば、第一の混合回路４２や第二の混合回路４７の変換利得や各増幅回路４６、５０、５１、５３等の利得を大きくすれば信号レベルが大きくなってＣ／Ｎ比は良くなるが相互変調歪みが悪化することになり、双方の特性をバランスすることが困難であった。
【０００８】
そこで、本発明は、相互変調歪みとＣ／Ｎ比とを容易にバランスさせることが出来るテレビジョン信号送信回路を提供するものである。
【０００９】
【課題を解決するための手段】
上記の課題を解決するため、本発明のテレビジョン信号送信回路は、映像中間周波信号と音声中間周波信号とを含む中間周波信号を出力する中間周波回路と、前記中間周波信号を周波数変換してテレビジョン信号として出力する複数の周波数変換回路とを有し、前記中間周波回路と最前段の周波数変換回路との間に抵抗減衰回路を設け、前記抵抗減衰回路を、信号経路に直列に挿入した直列抵抗と、前記直列抵抗の一端と接地との間、及び前記直列抵抗の他端と接地との間にそれぞれ接続された二つのシャント抵抗とからなるπ型抵抗減衰回路で構成し、前記直列抵抗または前記シャント抵抗の抵抗値を変えて減衰量を変化するようにした。
【００１０】
また、本発明のテレビジョン信号送信回路は、前記直列抵抗と前記シャント抵抗との接続点に、一端が接続されるとともに信号経路に直列に挿入された第二の直列抵抗を設け、一方、前記シャント抵抗に、中間タップを有する可変抵抗を用い、前記第二の直列抵抗の他端と前記可変抵抗の前記中間タップとを接続した。
【００１１】
【発明の実施の形態】
以下、図１乃至図５を参照して、本発明のテレビジョン信号送信回路の実施の形態を説明する。図１は、本発明のテレビジョン信号送信回路のブロック構成の一部を示すものであり、このテレビジョン信号送信回路は、送信する番組を送るチャンネル毎に設けられている。そして、例えば、中間周波回路１には、変調器等が備えられており、この中間周波回路１において、送信する番組の映像信号Ｖによって映像中間周波搬送波（米国では４５．７５ＭＨｚ）を変調し、中間周波回路１からは映像中間周波信号が出力される。また、音声信号Ｓも所定の処理によって、映像中間周波信号から４．５ＭＨｚ離れた（４１．２５ＭＨｚ）音声中間周波信号に位置して搬送されるようになっている。なお、中間周波回路１から出力される映像中間周波信号と音声中間周波信号とを含めた中間周波信号を、ここでは便宜上、第一の中間周波信号と呼ぶことにする。
【００１２】
中間周波回路１からの第一の中間周波信号は、減衰回路２を介して第一の混合回路３に入力され、この第一の混合回路３において、第一の局部発振回路４からの発振信号と混合されることによってほぼ１．３ＧＨｚの第二の中間周波信号に周波数変換される。従って、第一の混合回路３と第一の局部発振回路４とによって最前段の周波数変換回路である第一の周波数変換回路５を構成している。なお、減衰回路２には、抵抗を用いた抵抗減衰回路あるいはピンダイオ−ドを用いたダイオ−ド減衰回路を使用することができるが、ここでは、抵抗減衰回路を用い、しかもその減衰量を変化できるようにしたもの（可変減衰回路）を用いるようにしている。
【００１３】
第一の混合回路３からの第二の中間周波信号は、所定の帯域幅（ほぼ６ＭＨｚ）を有するバンドパスフィルタ６を通過した後に第二中間周波増幅回路７で所定のレベルに増幅され、第一の混合回路３に直列的に設けられた次段の第二の混合回路８に入力され、この第二の混合回路８において第二の局部発振回路９からの発振信号と混合されて第三の中間周波信号に周波数変換される。従って、第二の混合回路８と第二の局部発振回路９とによって第二段目の周波数変換回路である第二の周波数変換回路１０を構成している。
【００１４】
なお、第三の中間周波信号は、テレビジョン信号として図示しないケ−ブルを介してＣＡＴＶシステムの加入者に送信されるが、その周波数は、送信する番組毎に異なり、ほぼ５０ＭＨｚから１ＧＨｚまでの間に設定されている各チャンネルの周波数のいずれかに合わせるように第二の局部発振回路９の発振周波数が設定されている。そして、第二の混合回路８から出力される第三の中間周波信号は、第三中間周波増幅回路１１、１２で所定の利得を与えられた後バンドパスフィルタ１３、出力増幅回路１４を介して導出され、図示しない混合回路において、他のテレビジョン送信回路から同様に導出された第三の中間周波信号（テレビジョン信号）と混合されて図示しないケ−ブルに送られるようになっている。
【００１５】
以上のように、本発明のテレビジョン信号送信回路では、中間周波回路１と第一の周波数変換回路５との間に減衰回路２を設けたので、この減衰回路２によって第一の周波数変換回路５を構成する第一の混合回路３に入力する第一の中間周波信号のレベルを下げることができ、第一の混合回路３及びこの第一の混合回路３の後段に接続された各回路で発生する相互変調歪みを小さくすることが可能となる。従って、テレビジョン信号送信回路のＣ／Ｎ比が十分に良好な場合には、この減衰回路２の減衰量を大きく設定することによって相互変調歪みを下げ、Ｃ／Ｎ比と相互変調歪みとが規格を満足するようにバランスさせることができる。
【００１６】
一方、テレビジョン信号送信回路の相互変調歪みが十分に良好な（小さい）場合には、この減衰回路２の減衰量を小さく設定することによってＣ／Ｎ比を高くし、同様に、Ｃ／Ｎ比と相互変調歪みとが規格を満足するようにバランスさせることができる。
【００１７】
また、減衰回路２を、減衰量が変化可能な可変減衰回路を用いているので、減衰量を調整することによって、各番組に対応した個々のテレビジョン信号送信回路毎にＣ／Ｎ比と相互変調歪みとをバランスさせることができる。さらに、減衰回路２として、抵抗減衰回路を用いているので、抵抗減衰回路では歪みを発生せず、従って、テレビジョン信号送信回路全体の相互変調歪みを少なくすることができる。
【００１８】
そして、減衰回路２を、中間周波回路１と直列接続された第一の周波数変換回路５と第二の周波数変換回路１０のうち、最前段の周波数変換回路である第一の周波数変換回路５との間に設けることによって、第一の周波数変換回路５を構成する第一の混合回路３以降の各回路、即ち、第二中間周波増幅回路７、第二の混合回路８、第三中間周波増幅回路１１、１２、出力増幅回路１４のそれぞれで発生した総合的な相互変調歪みとＣ／Ｎ比とを一度にバランスさせることができる。
【００１９】
ここで、中間周波回路１と最前段の周波数変換回路５との間、具体的には中間周波回路１と第一の混合回路３との間に設けられた減衰回路２の具体的な回路を図２に示す。図２に示す減衰回路２は抵抗を用いて構成した可変減衰回路であり、信号経路に直列に挿入した直列抵抗２１と、直列接続された可変抵抗２２と固定抵抗２３とからなって、直列抵抗２１の一端と接地との間に接続されるとともに直列抵抗２１に流れようとする信号の一部を接地に分流するシャント抵抗２４と、直列抵抗２１の他端と接地との間に接続され、直列抵抗２１から流れ出る信号の一部を接地に分流する第二のシャント抵抗２５とからなるπ型減衰回路２６を有している。ここで、可変抵抗２２には、中間タップＴを有する可変抵抗器が用いられる。
【００２０】
さらに、減衰回路２は、直列抵抗２１とシャント抵抗２４との接続点、即ち、直列抵抗２１と可変抵抗２２との接続点に一端が接続されるとともに信号経路に直列に挿入された第二の直列抵抗２７を有している。そしてこの第二の直列抵抗２７の他端と可変抵抗２２の中間タップＴとを接続し、この第二の直列抵抗２７の他端を入力端子とし、直列抵抗２１の他端と第二のシャント抵抗２５との接続点を出力端子としている。
【００２１】
図２に示す減衰回路２では、可変抵抗２２の中間タップＴの位置を変えることによって減衰量が変化する。即ち、可変抵抗２２の中間タップＴが信号経路側、即ち直列抵抗２１側に位置したときは第二の直列抵抗２７の両端が短絡されるとともに可変抵抗２２と固定抵抗２３とからなるシャント抵抗２４の抵抗値が最大になることから減衰量は最少となる。逆に、可変抵抗２２の中間タップＴが固定抵抗２３側に位置したときは、可変抵抗２２が第二の直列抵抗２７に並列に接続され、シャント抵抗２４は固定抵抗２３のみとなって減衰量が最大になる。
【００２２】
そして、可変抵抗２２と固定抵抗２３とを合わせたシャント抵抗２４全体の抵抗値の増減方向と、第二の直列抵抗２７と可変抵抗２２とが並列接続された合成抵抗の抵抗値の増減方向とが互いに逆となることから可変抵抗２２の中間タップＴの位置の変化、即ち減衰量の変化にかかわらず、この減衰回路２の入力インピ−ダンスは図３に示すように変化幅を少なくすることができる。このため、中間周波回路１の出力インピ−ダンスと第一の混合回路３の入力インピ−ダンスとの整合が維持できる。図３の入力インピ−ダンスは図２における減衰回路２の出力端子に５０オ−ムの負荷を接続した状態での可変抵抗２２の中間タップＴの位置による変化を示し、横軸の０％は中間タップＴが直列抵抗２１側に位置し、また、横軸の１００％は、中間タップＴが固定抵抗２３側に位置したときのものである。なお、この減衰回路において、直列抵抗２１は１２オ−ム、第二の直列抵抗２７は４３オ−ム、可変抵抗２２は１００オ−ム、固定抵抗２３は１５０オ−ム、第二のシャント抵抗２５は２００オ−ムの抵抗値を有している。
【００２３】
図４に示す減衰回路は、図２に示す減衰回路の第二のシャント抵抗２５の代わりに、直列接続された第二の可変抵抗２８と第二の固定抵抗２９とからなる第三のシャント抵抗３０を用いたπ型減衰回路３１を有し、さらに、この第三のシャント抵抗３０を構成する第二の可変抵抗２８と直列抵抗２１の他端との接続点に一端が接続されるとともに信号経路に直列に挿入された第三の直列抵抗３２とを有している。そして、第三の直列抵抗３２の他端を第二の可変抵抗２８の中間タップＴに接続し、第三の直列抵抗３２の他端をこの減衰回路の出力端子としている。
【００２４】
図４に示す減衰回路では、可変抵抗２２と第二の可変抵抗２８のそれぞれの中間タップＴの位置を同時に同じ方向に変えることで減衰量を変化させている。そして、第二の可変抵抗２８によって、出力端子側でも第三のシャント抵抗３０の抵抗値が変えられるようになっているので、より一層の減衰量が得られるとともに入力インピ−ダンスの変化を少なくできる。
【００２５】
図５に示す抵抗減衰回路は、信号経路に直列に挿入する直列抵抗３３を、一端同志で直列接続された第三の固定抵抗３４と第三の可変抵抗３５とから構成し、第三の固定抵抗３４と第三の可変抵抗３５とのそれぞれの他端に第四のシャント抵抗３６、第五のシャント抵抗３７を接続してπ型減衰回路３８を構成している。そして、第三の固定抵抗３４と第三の可変抵抗３５のそれぞれの他端を入力端子、出力端子とし、第三の可変抵抗３５の他端をこの第三の可変抵抗３５の中間タップＴに接続したものであり、減衰回路として構成が簡単になる。そして、この第三の可変抵抗３５の中間タップＴを変えて減衰量を変化するようにしたものである。
【００２６】
【発明の効果】
以上のように、本発明のテレビジョン信号送信回路は、中間周波回路と最前段の周波数変換回路との間に抵抗減衰回路を設け、抵抗減衰回路を、信号経路に直列に挿入した直列抵抗と、この直列抵抗の一端と接地との間、及び直列抵抗の他端と接地との間にそれぞれ接続された二つのシャント抵抗とからなるπ型抵抗減衰回路で構成し、直列抵抗またはシャント抵抗の抵抗値を変えて減衰量を変化するようにしたので、この抵抗減衰回路自身は歪みを発生することなく、最前段の周波数変換回路を構成する混合回路に入力する中間周波信号のレベルを下げることができ、混合回路及びこの混合回路の後段に接続された各回路で発生する相互変調歪みを小さくすることが可能となる。従って、テレビジョン信号送信回路のＣ／Ｎ比が十分に良好な場合には、この減衰回路の減衰量を大きく設定することによって相互変調歪みを下げ、Ｃ／Ｎ比と相互変調歪みとが規格を満足するようにバランスさせることができる。一方、テレビジョン信号送信回路の相互変調歪みが十分に良好な（小さい）場合には、この減衰回路の減衰量を小さく設定することによってＣ／Ｎ比を高くし、同様に、Ｃ／Ｎ比と相互変調歪みとが規格を満足するようにバランスさせることができる。また、中間周波回路の出力インピ−ダンスと混合回路の入力インピ−ダンスとの整合が維持できる。
【００２７】
また、本発明のテレビジョン信号送信回路は、直列抵抗とシャント抵抗との接続点に、一端が接続されるとともに信号経路に直列に挿入された第二の直列抵抗を設け、一方、シャント抵抗に、中間タップを有する可変抵抗を用い、第二の抵抗の他端と可変抵抗の中間タップとを接続したので、インピ−ダンスの変化を一層少なくできる。
【図面の簡単な説明】
【図１】本発明のテレビジョン信号送信回路のブロック構成図である。
【図２】本発明のテレビジョン信号送信回路に用いる減衰回路の回路図である。
【図３】本発明のテレビジョン信号送信回路に用いる減衰回路のインピ−ダンス特性図である。
【図４】本発明のテレビジョン信号送信回路に用いる減衰回路の他の回路図である。
【図５】本発明のテレビジョン信号送信回路に用いる減衰回路の他の回路図である。
【図６】従来のテレビジョン信号送信回路のブロック構成図である。
【符号の説明】
１  中間周波回路
２  減衰回路
３  第一の混合回路
４  第一の局部発振回路
５  第一の周波数変換回路
６  バンドパスフィルタ
７  第二中間周波増幅回路
８  第二の混合回路
９  第二の局部発振回路
１０  第二の周波数変換回路
１１  第三中間周波増幅回路
１２    第三中間周波増幅回路
１３    バンドパスフィルタ
１４  出力増幅回路
２１．３３  直列抵抗
２２  可変抵抗
２３  固定抵抗
２４    シャント抵抗
２５    第二のシャント抵抗
２６．３１．３８    π型減衰回路
２７    第二の直列抵抗
２８    第二の可変抵抗
２９    第二の固定抵抗
３０    第三のシャント抵抗
３２  第三の直列抵抗
３４  第三の固定抵抗
３５  第三の可変抵抗
３６  第四のシャント抵抗
３７  第五のシャント抵抗
【図１】
0003600401.tif 000002
【図２】
0003600401.tif 000003
【図３】
0003600401.tif 000004
【図４】
0003600401.tif 000005
【図５】
0003600401.tif 000006
【図６】
0003600401.tif 000007